(57)【特許請求の範囲】
【請求項１】
台板と軸受板と盆板とが共通の回転中心軸線の周りに相互に回転可能に且つ該回転中心軸線に沿って互いに分離可能に回転係合した状態に積層され、前記軸受板は少なくとも３つのローラとこれらのローラを前記回転中心軸線より放射状に延在するローラ転動軸線の周りに転動可能に支持するローラ支持枠とを有しており、前記盆板が前記台板に対し前記回転中心軸線の周りに回転するとき前記ローラが前記台板の上面と前記盆板の下面とに接した状態で前記ローラ転動軸線の周りに転動するようになっており、前記ローラ支持枠は前記台板および前記盆板の外周縁の位置より突き出たハンドルを備え、前記ローラ支持枠が前記ハンドルにて前記台板に対し前記回転中心軸線の周りに回転されるとき、前記台板に対する前記ローラ支持枠の回転角度の２倍の角度だけ前記盆板が前記台板に対し回転されるようになっていることを特徴とする回転式配膳台。
【請求項２】
前記ローラは前記ローラ転動軸線に沿って前記回転中心軸線に近い側の内端と前記回転中心軸線より遠い側の外端との径が異なるテーパ付きローラであり、前記外端と前記内端の径の比が前記回転中心軸線に対する前記外端と前記内端の距離の比とされ、前記台板の上面および前記盆板の下面には前記ローラが当接する部分に前記テーパ付きローラのテーパ状周面の傾斜に適合する傾斜角の環状帯域が設けられていることを特徴とする請求項１に記載の回転式配膳台。
【請求項３】
前記ローラ支持枠は、それを前記台板に対し前記回転中心軸線の周りに回転可能に係合させる中心軸受部と、前記ローラを転動可能に支持する複数のローラ軸受部と、前記複数のローラ軸受部を互に連結する環状枠部と、前記複数のローラ軸受部の各々と前記中心軸受部とを連結する車輻状枠部とを有する構造体であることを特徴とする請求項１または２に記載の回転式配膳台。
【請求項４】
前記ハンドルは前記ローラを転動式に支持する軸の延長端であることを特徴とする請求項１〜３のいずれかに記載の回転式配膳台。
【発明の詳細な説明】
【技術分野】
【０００１】
本発明は、食事に際して各人の面前に食物を提供する配膳台に係り、特に食物を載置する盆が回転式に構成されている回転式配膳台に係る。
【背景技術】
【０００２】
一つの皿等に盛られた食物を複数の人に提供するのに便利なよう、皿等を載置したテーブルが回転式に構成されている回転式配膳台は、従来より中華料理店等に於いて常用されているが、特に高齢者、身体障害者、病人等の食事を容易にするため、各人の面前に食物を提供する配膳台の盆の部分を回転式に構成する各人用の回転式配膳台が下記の特許文献１および２に於いて提案されている。
【先行技術文献】
【特許文献】
【０００３】
【特許文献１】特開２００１-２８６５１５
【特許文献２】特開２００２-０６５４４１
【０００４】
上記特許文献１による回転式配膳台は、特に厚みを５cm以下のように小さく抑える意図から、食器等を載せる盆板がそれを支持する台板の上にボールベアリングを構成するボールを介して載置される構造のものである。この場合、盆板と台板とが引き離されるとボールが不用意に散乱する恐れがあるので、盆板と台板とは、回転式配膳台として組立てられた後には、常時その組立て状態に保持される一体の装置を構成するものと思われる。上記特許文献２による回転式配膳台は、盆板の下に回転盤と放射状に配置された複数個のローラと磁石とを備えた回転環体を取り付け、盆板が磁性材よりなる台板上に載置され、前記磁石が台板へ向けて引き付けられることにより前記ローラを前記回転盤と台板の表面に圧着させるものである。盆板の周縁部には回転用突起が立設されており、食事をする人は、フォークまたはスプーンをこの回転用突起に押し当てるにより盆板を回転させることができ、その際、前記ローラが回転盤と台板の間に挾圧された状態にて転接し、盆板の回転に対し制動作用を付与するものとされている。この場合、盆板と回転盤とは一体となって回転するので、盆板と回転盤とは互いに固定されており、回転盤とローラと磁石とを備えた回転環体は盆板に予め組み付けられていると思われる。
【発明の概要】
【発明が解決しようとする課題】
【０００５】
高齢者、身体障害者、病人等のための回転式配膳台に望まれる要件としては、下記のような事項が考えられる。
（１）使用のたびに容易に且つ隅々まできれいに水洗できること。
（２）手に持って水洗でき、水洗時に手に大きな負担をかけない軽い構造であること。
（３）こぼれた食物により汚染されても回転機構に支障を来たしにくいこと。
（４）できるだけ小さい手の動きにより盆板を大きく回転させることができること。
（５）安価に製造できること。
【０００６】
本発明は、上記の５つの要件のすべてを満たす回転式配膳台を提供することを課題としている。
【課題を解決するための手段】
【０００７】
上記の課題を解決すべく、本発明は、台板と軸受板と盆板とが共通の回転中心軸線の周りに相互に回転可能に且つ該回転中心軸線に沿って互いに分離可能に回転係合した状態に積層され、前記軸受板は少なくとも３つのローラとこれらのローラを前記回転中心軸線より放射状に延在するローラ転動軸線の周りに転動可能に支持するローラ支持枠とを有しており、前記盆板が前記台板に対し前記回転中心軸線の周りに回転するとき前記ローラが前記台板の上面と前記盆板の下面とに接した状態で前記ローラ転動軸線の周りに転動するようになっており、前記ローラ支持枠は前記台板および前記盆板の外周縁の位置より突き出たハンドルを備え、前記ローラ支持枠が前記ハンドルにて前記台板に対し前記回転中心軸線の周りに回転されるとき、前記台板に対する前記ローラ支持枠の回転角度の２倍の角度だけ前記盆板が前記台板に対し回転されるようになっていることを特徴とする回転式配膳台を提案するものである。
【０００８】
前記ローラは前記ローラ転動軸線に沿って前記回転中心軸線に近い側の内端と前記回転中心軸線より遠い側の外端との径が異なるテーパ付きローラであり、前記外端と前記内端の径の比が前記回転中心軸線に対する前記外端と前記内端の距離の比とされ、前記台板の上面および前記盆板の下面には前記ローラが当接する部分に前記テーパ付きローラのテーパ状周面の傾斜に適合する傾斜角の環状帯域が設けられていてよい。
【０００９】
前記ローラ支持枠は、それを前記台板に対し前記回転中心軸線の周りに回転可能に係合させる中心軸受部と、前記ローラを転動可能に支持する複数のローラ軸受部と、前記複数のローラ軸受部を互に連結する環状枠部と、前記複数のローラ軸受部の各々と前記中心軸受部とを連結する車輻状枠部とを有する構造体であってよい。
【００１０】
前記ハンドルは前記ローラを転動式に支持する軸の延長端であってよい。
【発明の効果】
【００１１】
上記の如く、回転式配膳台が、台板と軸受板と盆板とが共通の回転中心軸線の周りに相互に回転可能に且つ該回転中心軸線に沿って互いに分離可能に回転係合した状態に積層されたものよりなり、前記軸受板が少なくとも３つのローラとこれらのローラを前記回転中心軸線より放射状に延在するローラ転動軸線の周りに転動可能に支持するローラ支持枠とを有しており、前記盆板が前記台板に対し前記回転中心軸線の周りに回転するとき前記ローラが前記台板の上面と前記盆板の下面とに接した状態で前記ローラ転動軸線の周りに転動するようになっており、前記ローラ支持枠が前記台板および前記盆板の外周縁の位置より突き出たハンドルを備え、前記ローラ支持枠が前記ハンドルにて前記台板に対し前記回転中心軸線の周りに回転されるとき、前記台板に対する前記ローラ支持枠の回転角度の２倍の角度だけ前記盆板が前記台板に対し回転されるようになっていれば、使用後にはその都度台板と軸受板と盆板とを回転中心軸線に沿って互いに分離することにより、それぞれは軽くて水洗しやすい装置となるので、それぞれを個別に水洗すれば、手に負担をかけることなく、それぞれを手に持って隅々まで容易に且つきれいに水洗することができる。盆板の回転は、台板上をローラにより転動する構造によっており、ローラ支持枠はローラを転動可能に支持するだけの簡単な構造のものであってよく、ローラ周りの空間は大きく開放されるので、食器よりこぼれ落ちた多少の食物が盆板と台板の間に侵入しても、盆板の回転が妨げられる度合は低い。ローラ支持枠に設けられたハンドルによりローラ支持枠が台板に対し回転されるとき、盆板はローラ支持枠の回転角度の２倍の角度だけ台板に対し回転するので、小さい手の動きにより盆板を大きく回転させることができる。盆板と台板はそれぞれプラスチック等の加工が容易で安価な材料よりなる単純な円板状の部材であってよく、ローラおよびそれを転動可能に支持するローラ支持枠を備えた軸受板もプラスチック等の加工が容易で安価な材料よりなる簡単な構造のものであってよいので、これらの組み合わせよりなる回転式配膳台は安価に製造できるものである。
【００１２】
前記ローラが前記ローラ転動軸線に沿って前記回転中心軸線に近い側の内端と前記回転中心軸線より遠い側の外端との径が異なるテーパ付きローラであり、前記外端と前記内端の径の比が前記回転中心軸線に対する前記外端と前記内端の距離の比とされ、前記台板の上面および前記盆板の下面には前記ローラが当接する部分に前記テーパ付きローラのテーパ状周面の傾斜に適合する傾斜角の環状帯域が設けられていれば、盆板が台板に対し回転されるとき、ローラは常時その外端より内端に至る全域にわたって盆板と台板とに当接しつつ、前記環状帯域に一致した円弧軌跡に沿って転動する。
【００１３】
前記ローラ支持枠が、それを前記台板に対し前記回転中心軸線の周りに回転可能に係合させる中心軸受部と、前記ローラを転動可能に支持する複数のローラ軸受部と、前記複数のローラ軸受部を互に連結する環状枠部と、前記複数のローラ軸受部の各々と前記中心軸受部とを連結する車輻状枠部とを有する構造体であれば、台板および盆板とは分離された個別の装置としてローラを転動式に支持するローラ支持枠を最小限の重量にて必要かつ十分な強度を有する装置として構成することができる。
【００１４】
前記ハンドルが、前記ローラを転動式に支持する軸の延長端であれば、ローラを転動式に支持する軸をローラの支持に必要な長さより幾分長くしておくだけで、各ローラの位置に対応してローラ支持枠を回転させるためのハンドルが得られ、ローラが前記回転中心軸線の回りに均等に隔置された状態に配置されるときには、それに対応してハンドルも前記回転中心軸線の周りに均等に隔置された状態に配置される。
【図面の簡単な説明】
【００１５】
【図１】本発明による回転式配膳台の一つの実施例を示す縦断面図である。
【図２】図１に示す回転式配膳台より盆板が除去され、台板上に軸受板のみが載置された状態を示す平面図である。
【図３】図１に示す回転式配膳台の盆板の平面図である。
【図４】図１に示す回転式配膳台の盆板の底面図である。
【図５】図１に示す回転式配膳台の軸受板の底面図である。
【図６】図１に示す回転式配膳台の台板の平面図である。
【発明を実施するための形態】
【００１６】
図示の回転式配膳台に於いて、１０は台板、１２は軸受板、１４は盆板であり、台板１０の中心部に設けられた円筒部１６の周りに軸受板１２の中心部に設けられた円筒部１８および盆板１４の中心部に設けられた円筒部２０が嵌め合わされることにより、台板１４の上に軸受板１２が載置され、更にその上に盆板１４が載置され、台板１０、軸受板１２、台板１４が、回転中心軸線２２の周りに相互に回転可能に且つ該回転中心軸線に沿って互いに分離可能に回転係合した状態に、積層されている。軸受板１２の円筒部１８の内側は台板１０の円筒部１６を貫通させる孔となっているが、盆板１４は孔のない上面を呈しており、円筒部２０は孔のない盆板の下面より突き出た円筒状の突起である。図示の実施例では、台板１０も中央部に孔はなく、円筒部１６は孔のない台板の上面より突き出ているが、台板１０は円筒部１６の内側が孔とされて中心部に貫通孔を有する構造であってもよい。
【００１７】
軸受板１２は少なくとも３つ（図示の例では回転中心軸線２２の周りに均等に配置された６つ）のローラ２４と、これらのローラを回転中心軸線２２より放射状に延在するローラ転動軸線２６の周りに転動可能に支持するローラ支持枠２８とを含んでいる。ローラ支持枠２８は、円筒部１８を含みローラ支持枠２８を台板１０に対し回転中心軸線２２の周りに回転可能に係合させる中心軸受部３０と、ローラ２４を転動可能に支持する複数のローラ軸受部３２と、複数のローラ軸受部３２を互に連結する環状枠部３４と、複数のローラ軸受部３２の各々と中心軸受部３０とを連結する車輻状枠部３６とを有する構造体である。ローラ２４はローラ転動軸線２６の周りに転動するようローラ軸受部３２の部分にてローラ支持軸３８により支持されている。ローラ２４はローラ転動軸線２６に沿って回転中心軸線２２に近い側の内端２４iと回転中心軸線２２より遠い側の外端２４oとの径が異なるテーパ付きローラであり、外端２４oと内端２４iの径の比が回転中心軸線２２に対する外端２４oと内端２４iの距離の比とされている。
【００１８】
一方、台板１０の上面および盆板１４の下面には、ローラ２４が当接する部分に、それぞれ上記の如きテーパ付きローラのテーパ状周面の傾斜に適合する傾斜角の環状帯域４０および４２が設けられている。そして台板１０、軸受板１２、盆板１４が円筒部１６、１８、２０を互いに嵌め合わせて重合されると、ローラ２４は台板１０の環状帯域４０と盆板１４の環状帯域４２の間に挟圧され、盆板１４が台板１０に対し回転中心軸線２２の周りに回転するとき、ローラ２４が台板の上面と環状帯域４０の部分にてまた盆板１４の下面と環状帯域４２の部分にて接した状態でローラ支持軸３８の周りに転動するようになっている。尚、そのようにローラ２４が台板１０の環状帯域４０と盆板１４の環状帯域４２の間に挟圧された状態となるよう、台板１０、軸受板１２、盆板１４の円筒部１６、１８、２０の回転中心軸線２２に沿った長さは、円筒部１６、１８、２０の嵌合部にて台板１０、軸受板１２、盆板１４が回転中心軸線２２に沿う方向には互いに当接しない値とされている。
【００１９】
ローラ支持枠２８は台板１０および盆板１４の外周縁の位置より突き出たハンドル４４を備えている。図示の実施例では、ハンドル４４はローラ支持軸３８の延長端であり、ローラ２４と同様に回転中心軸線２２の周りに均等に配置されている。これらのハンドル４４のいずれかに手の指等を掛けてローラ支持枠２８を台板１０に対し回転中心軸線２２の周りに回転させれば、台板１０に対するローラ支持枠２８の回転角度の２倍の角度だけ盆板１４が台板１０に対し回転される。
【００２０】
図１では、台板１０の上に軸受板１２が載置され、更にその上に盆板１４が載置され、回転式配膳台は使用できる状態にて示されている。この状態で盆板１４の上に食物を盛った食器等が載置され、各人の面前に食事が提供される。そして使用後、これを洗浄するときには、台板１０、軸受板１２、盆板１４を回転中心軸線２２に沿って相互に分離すれば、それぞれは図６、図５、図３および４に示す如き円板状ないし車輪状の軽量な単体となるので、それぞれを手に持って水道の蛇口の下等で容易に且つ洗い残し箇所のないようにきれいに水洗することができる。
【００２１】
以上に於いては、本発明を一つの実施例ついて詳細に説明したが、図示の実施例について本発明の範囲内にて種々の修正が可能であることは当業者にとって明らかであろう。
【符号の説明】
【００２２】
１０−台板，１２−軸受板，１４−盆板，１６−台板の円筒部，１８−軸受板の円筒部，２０−盆板の円筒部，２２−回転中心軸線，２４−ローラ，２４i−ローラの内端，２４o−ローラの外端，２６−ローラ転動軸線，２８−ローラ支持枠，３０−中心軸受部，３２−ローラ軸受部，３４−環状枠部，３６−車輻状枠部，３８−ローラ支持軸，４０−台板の環状帯域，４２−盆板の環状帯域，４４−ハンドル
【要約】      （修正有）【課題】使用のたびに手に持って容易に隅々まできれいに水洗でき、こぼれた食物により汚染されても回転機構に支障を来たしにくく、小さい手の動きにより盆板を大きく回転させることができる安価な回転式配膳台を提供する。【解決手段】台板１０と軸受板１２と盆板１４とが共通の回転中心軸線２２の周りに相互に回転可能に且つ該回転中心軸線に沿って互いに分離可能に回転係合した状態に積層され、軸受板は台板の上面と盆板の下面とに転接する少なくとも３つのローラ２４とこれらのローラを回転中心軸線より放射状に延在するローラ転動軸線２６の周りに転動可能に支持するローラ支持枠２８とを有している。【選択図】図１【図１】
0005567173.tif 000002
【図２】
0005567173.tif 000003
【図３】
0005567173.tif 000004
【図４】
0005567173.tif 000005
【図５】
0005567173.tif 000006
【図６】
0005567173.tif 000007